(57)【特許請求の範囲】
【請求項１】
出力マルチャネルオーディオ信号と入力マルチャネルオーディオ信号のチャネル別の出力位置を確認する出力位置確認部と、
出力マルチャネルオーディオ信号と入力マルチャネルオーディオ信号のうち、チャネル別の出力位置が同じチャネルの入力チャネルと出力チャネルがある場合、前記入力チャネルのチャネル信号を前記出力チャネルに割り当てる信号割当部と、
入力マルチャネルオーディオ信号のチャネルに最も近接する出力マルチャネルオーディオ信号のチャネル２つに前記入力マルチャネルオーディオ信号のチャネル信号を分配する信号分配部と、
出力マルチャネルオーディオ信号の各チャネルに割り当てられたチャネル信号、または、分配されたチャネル信号に基づいて出力マルチャネルオーディオ信号のチャネル別の信号を算出するチャネル信号算出部と、
を備え、
前記信号分配部は、
入力マルチャネルオーディオ信号のチャネルに最も近接する出力マルチャネルオーディオ信号のチャネル２つに前記入力マルチャネルオーディオ信号のチャネル信号を
0005863796.tif 000016
ずつ分割し、
前記入力マルチャネルオーディオ信号が２２．２チャネルであり、出力マルチャネルオーディオ信号が１０．２チャネルである場合に表１によりチャネル変換され、
【表１】
0005863796.tif 000017
前記入力マルチャネルオーディオ信号が１０．２チャネルであり、出力マルチャネルオーディオ信号が７．１チャネルである場合に表２によりチャネル変換され、
【表２】
0005863796.tif 000018
前記入力マルチャネルオーディオ信号が１０．２チャネルであり、出力マルチャネルオーディオ信号が５．１チャネルである場合に表３によりチャネル変換され、
【表３】
0005863796.tif 000019
前記入力マルチャネルオーディオ信号が１０．２チャネルであり、出力マルチャネルオーディオ信号が２チャネルである場合に表４によりチャネル変換される
【表４】
0005863796.tif 000020
ことを特徴とするマルチチャネルオーディオ変換システム。
【請求項２】
前記出力マルチャネルオーディオ信号と前記入力マルチャネルオーディオ信号の１つは、１０．２チャネルオーディオ信号であることを特徴とする請求項１に記載のマルチチャネルオーディオ変換システム。
【請求項３】
前記１０．２チャネルオーディオ信号は、ユーザを中心に平面上に７個のチャネルの出力位置を設定し、ユーザを基準として高さを有する３個のチャネルの出力位置を設定し、２つのサブウーファーチャネルを提供することを特徴とする請求項２に記載のマルチチャネルオーディオ変換システム。
【請求項４】
前記１０．２チャネルオーディオ信号の平面上の７個のチャネルは、ユーザの前方中央に出力位置が配置されたＣ（Ｃｅｎｔｅｒ）チャネル、ユーザの前方±３０°位置にそれぞれ出力位置が配置されたＬ／Ｒ（Ｌｅｆｔ／Ｒｉｇｈｔ）チャネル、ユーザの±９０°位置に出力位置が配置されたＬＳ／ＲＳ（Ｌｅｆｔ  Ｓｉｄｅ／Ｒｉｇｈｔ  Ｓｉｄｅ）チャネル、及びユーザの±１５０°位置に出力位置が配置されたＬＢ／ＲＢ（Ｌｅｆｔ  Ｂａｃｋ／Ｒｉｇｈｔ  Ｂａｃｋ）チャネルを含むことを特徴とする請求項３に記載のマルチチャネルオーディオ変換システム。
【請求項５】
前記１０．２チャネルオーディオ信号の高さを有する３個のチャネルは、前記Ｌ／Ｒチャネルの上側３０°〜４５°位置に出力位置が配置されたＬＨ／ＲＨ（Ｌｅｆｔ  Ｈｅｉｇｈｔ／Ｒｉｇｈｔ  Ｈｅｉｇｈｔ）チャネルと、ユーザの上側に出力位置が配置されたＴＣ（Ｔｏｐ  Ｃｅｎｔｅｒ）チャネルを含むことを特徴とする請求項４に記載のマルチチャネルオーディオ変換システム。
【請求項６】
前記チャネル信号算出部は、前記入力マルチャネルオーディオ信号が２２．２チャネルオーディオ信号である場合、上位レイヤ、中位レイヤ、下位レイヤ、及びサブウーファーチャネル別にそれぞれ特定の定数を乗算して出力マルチャネルオーディオ信号の全体サウンドレベルを調整することを特徴とする請求項２に記載のマルチチャネルオーディオ変換システム。
【請求項７】
前記チャネル信号算出部は、前記入力マルチャネルオーディオ信号が１０．２チャネルオーディオ信号である場合、平面上に位置するチャネルと前記高さを有するチャネル及びサブウーファーチャネル別にそれぞれ特定の定数を乗算して出力マルチャネルオーディオ信号の全体サウンドレベルを調整することを特徴とする請求項３に記載のマルチチャネルオーディオ変換システム。
【請求項８】
出力マルチャネルオーディオ信号と入力マルチャネルオーディオ信号のチャネル別の出力位置を確認するステップと、
出力マルチャネルオーディオ信号と入力マルチャネルオーディオ信号のうち、チャネル別の出力位置が同じチャネルの入力チャネルと出力チャネルがあるか否かを確認するステップと、
出力マルチャネルオーディオ信号と入力マルチャネルオーディオ信号のうち、チャネル別の出力位置が同じチャネルの入力チャネルと出力チャネルがある場合、前記入力チャネルのチャネル信号を前記出力チャネルに割り当てるステップと、
出力マルチャネルオーディオ信号と入力マルチャネルオーディオ信号のうち、チャネル別の出力位置が同じチャネルがない場合、入力マルチャネルオーディオ信号のチャネルに最も近接する出力マルチャネルオーディオ信号のチャネル２つに前記入力マルチャネルオーディオ信号のチャネル信号を分配するステップと、
出力マルチャネルオーディオ信号の各チャネルに割り当てられたチャネル信号、または、分配されたチャネル信号に基づいて出力マルチャネルオーディオ信号のチャネル別の信号を算出するステップと、
を含み、
前記分配するステップは、
入力マルチャネルオーディオ信号のチャネルに最も近接する出力マルチャネルオーディオ信号のチャネル２つに前記入力マルチャネルオーディオ信号のチャネル信号を
0005863796.tif 000021
ずつ分割し、
前記入力マルチャネルオーディオ信号が２２．２チャネルであり、出力マルチャネルオーディオ信号が１０．２チャネルである場合に表５によりチャネル変換され、
【表５】
0005863796.tif 000022
前記入力マルチャネルオーディオ信号が１０．２チャネルであり、出力マルチャネルオーディオ信号が７．１チャネルである場合に表６によりチャネル変換され、
【表６】
0005863796.tif 000023
前記入力マルチャネルオーディオ信号が１０．２チャネルであり、出力マルチャネルオーディオ信号が５．１チャネルである場合に表７によりチャネル変換され、
【表７】
0005863796.tif 000024
前記入力マルチャネルオーディオ信号が１０．２チャネルであり、出力マルチャネルオーディオ信号が２チャネルである場合に表８によりチャネル変換される
【表８】
0005863796.tif 000025
ことを特徴とするマルチチャネルオーディオ変換方法。
【発明の詳細な説明】
【技術分野】
【０００１】
本発明は、マルチチャネルオーディオ変換システム及び方法に関し、より詳しくは、１０．２チャネルのオーディオ信号を他のマルチチャネルオーディオ信号に変換するシステム及び方法に関する。
【背景技術】
【０００２】
マルチャネルオーディオ再生技術は２チャネルステレオから始まって５．１チャネル、７．１チャネルに拡張されて、最近では３個のレイヤ（ｌａｙｅｒ）を用いる２２．２チャネルオーディオ再生システムも開発された。
【０００３】
しかし、２２．２チャネルオーディオシステムは、音場再現の性能は高いものの、極めて多くのスピーカを必要とするため家庭のような十分な空間を確保し難しい環境に適用することが難しいという限界があった。
【０００４】
したがって、２２．２チャネルより少ないスピーカを用いて２２．２チャネルと類似の音場を提供することのできる新しいマルチチャネルと、新しいマルチチャネルを現在用いている２．０／５．１／７．１チャネル、及び新しく標準化が行われている２２．２チャネルと互換性を有し得る方法が求められている。
【発明の概要】
【発明が解決しようとする課題】
【０００５】
本発明は、２２．２チャネルより少ないスピーカを用いて２２．２チャネルと類似の音場を提供することのできる１０．２チャネルオーディオ信号を他のマルチチャネルオーディオ信号に変換させることができるシステム及び方法を提供する。
【課題を解決するための手段】
【０００６】
本発明の一実施形態に係るマルチチャネルオーディオ変換システムは、出力マルチャネルオーディオ信号と入力マルチャネルオーディオ信号のチャネル別の出力位置を確認する出力位置確認部と、出力マルチャネルオーディオ信号と入力マルチャネルオーディオ信号のうち、チャネル別の出力位置が同じチャネルの入力チャネルと出力チャネルがある場合、前記入力チャネルのチャネル信号を前記出力チャネルに割り当てる信号割当部と、入力マルチャネルオーディオ信号のチャネルに最も近接する出力マルチャネルオーディオ信号のチャネル２つに前記入力マルチャネルオーディオ信号のチャネル信号を分配する信号分配部と、出力マルチャネルオーディオ信号の各チャネルに割り当てられたチャネル信号、または、分配されたチャネル信号に基づいて出力マルチャネルオーディオ信号のチャネル別の信号を算出するチャネル信号算出部とを備える。
【０００７】
本発明の一実施形態に係るマルチチャネルオーディオ変換システムのチャネル信号算出部は、前記入力マルチャネルオーディオ信号が２２．２チャネルオーディオ信号である場合、上位レイヤ、中位レイヤ、下位レイヤ、及びサブウーファーチャネル別にそれぞれ特定の定数を乗算して出力マルチャネルオーディオ信号の全体サウンドレベルを調整してもよい。
【０００８】
本発明の一実施形態に係るマルチチャネルオーディオ変換システムの前記チャネル信号算出部は、前記入力マルチャネルオーディオ信号が１０．２チャネルオーディオ信号である場合、平面上に位置するチャネルと前記高さを有するチャネル及びサブウーファーチャネル別にそれぞれ特定の定数を乗算して出力マルチャネルオーディオ信号の全体サウンドレベルを調整してもよい。
【０００９】
本発明の一実施形態に係るマルチチャネルオーディオ変換方法は、出力マルチャネルオーディオ信号と入力マルチャネルオーディオ信号のチャネル別の出力位置を確認するステップと、出力マルチャネルオーディオ信号と入力マルチャネルオーディオ信号のうち、チャネル別の出力位置が同じチャネルの入力チャネルと出力チャネルがあるか否かを確認するステップと、出力マルチャネルオーディオ信号と入力マルチャネルオーディオ信号のうち、チャネル別の出力位置が同じチャネルの入力チャネルと出力チャネルがある場合、前記入力チャネルのチャネル信号を前記出力チャネルに割り当てるステップと、出力マルチャネルオーディオ信号と入力マルチャネルオーディオ信号のうち、チャネル別の出力位置が同じチャネルがない場合、入力マルチャネルオーディオ信号のチャネルに最も近接する出力マルチャネルオーディオ信号のチャネル２つに前記入力マルチャネルオーディオ信号のチャネル信号を分配するステップと、出力マルチャネルオーディオ信号の各チャネルに割り当てられたチャネル信号、または、分配されたチャネル信号に基づいて出力マルチャネルオーディオ信号のチャネル別の信号を算出するステップとを含む。
【発明の効果】
【００１０】
本発明は、２２．２チャネルより少ないスピーカを用いて２２．２チャネルと類似の音場を提供することのできる１０．２チャネルオーディオ信号を他のマルチチャネルオーディオ信号に変換させることによって、１０．２チャネルオーディオ信号の互換性を増加させることができる。
【図面の簡単な説明】
【００１１】
【図１】本発明の一実施形態に係るマルチチャネルオーディオ変換システムの構成を示すブロックダイアグラムである。
【図２】従来の２２．２チャネルオーディオ信号のレイアウトの一例を示す図である。
【図３】本発明に係る１０．２チャネルオーディオ信号のレイアウトの一例を示す図である。
【図４】本発明の一実施形態に係る２２．２チャネルオーディオ信号と１０．２チャネルマルチャネルオーディオ信号のＬチャネル信号間のマッチングの一例を示す図である。
【図５】本発明の一実施形態に係る２２．２チャネルオーディオ信号と１０．２チャネルマルチャネルオーディオ信号のＣチャネル信号間のマッチングの一例を示す図である。
【図６】本発明の一実施形態に係る２２．２チャネルオーディオ信号と１０．２チャネルマルチャネルオーディオ信号のＬＨチャネル信号間のマッチングの一例を示す図である。
【図７】本発明の一実施形態に係る２２．２チャネルオーディオ信号と１０．２チャネルマルチャネルオーディオ信号のＬＳチャネル信号間のマッチングの一例を示す図である。
【図８】本発明の一実施形態に係る２２．２チャネルオーディオ信号と１０．２チャネルマルチャネルオーディオ信号のＬＢチャネル信号間のマッチングの一例を示す図である。
【図９】本発明の一実施形態に係る１０．２チャネルオーディオ信号と７．１チャネルマルチャネルオーディオ信号のＬチャネル信号間のマッチングの一例を示す図である。
【図１０】本発明の一実施形態に係る１０．２チャネルオーディオ信号と７．１チャネルマルチャネルオーディオ信号のＬＢチャネル信号間のマッチングの一例を示す図である。
【図１１】本発明の一実施形態に係る１０．２チャネルオーディオ信号と５．１チャネルマルチャネルオーディオ信号のＬＳチャネル信号間のマッチングの一例を示す図である。
【図１２】本発明の一実施形態に係る１０．２チャネルオーディオ信号と２．０チャネルマルチャネルオーディオ信号のＬチャネル信号間のマッチングの一例を示す図である。
【図１３】本発明の一実施形態に係るマルチチャネルオーディオ変換方法を示すフローチャートである。
【発明を実施するための形態】
【００１２】
以下、本発明の実施形態について添付の図面を参照しながら詳細に説明する。本発明の一実施形態に係るマルチチャネルオーディオ変換方法はマルチチャネルオーディオ変換システムによって行われてもよい。
【００１３】
図１は、本発明の一実施形態に係るマルチチャネルオーディオ変換システムの構成を示すブロックダイアグラムである。
【００１４】
本発明の一実施形態に係るマルチチャネルオーディオ変換システムは、２２．２チャネルオーディオ信号よりも少ない数のチャネルを用いて、２２．２チャネルオーディオ信号と類似の音場効果を提供することのできる１０．２チャネルオーディオ信号を他のマルチャネルオーディオ信号に変換する。
【００１５】
図１を参考すると、マルチチャネルオーディオ変換システムは、出力位置確認部１１０、信号割当部１２０、信号分配部１３０、及びチャネル信号算出部１４０を備える。
【００１６】
出力位置確認部１１０は、ユーザから入力された入力マルチャネルオーディオ信号のチャネル別の出力位置と入力マルチチャネルオーディオ信号を変換して生成された出力マルチャネルオーディオ信号のチャネル別の出力位置を確認する。
【００１７】
ここで、入力マルチャネルオーディオ信号は、図２に示すように２２．２チャネルオーディオ信号であってもよい。ここで、２２．２チャネルオーディオ信号は、各チャネルのチャネル信号を出力する位置が２１０のように配置され、各チャネルは、上位レイヤ２２１、中位レイヤ２２２、下位レイヤ２２３を含む構造２２０に設定される。
【００１８】
そして、上位レイヤ２２１にはユーザを基準として高い位置から出力されるチャネルが含まれ、中位レイヤ２２２にはユーザのような高さから出力されるチャネルが含まれ、下位レイヤにはユーザを基準として低い位置で出力されるチャネル、または、サブウーハーチャネルが含まれてもよい。
【００１９】
また、本発明に係る１０．２チャネルオーディオ信号は、図３に示すようにユーザを中心のような高さの平面上に７個のチャネルの出力位置を設定し、ユーザを基準として高い高さを有する３個のチャネルの出力位置を設定し、２つのサブウーファー（Ｓｕｂ  Ｗｏｏｆｅｒ）チャネルを提供する。
【００２０】
具体的に、平面上の７個のチャネルは、ユーザの前方中央に出力位置が配置されたＣ（Ｃｅｎｔｅｒ）チャネル、ユーザの前方±３０°位置にそれぞれ出力位置が配置されたＬ／Ｒ（Ｌｅｆｔ／Ｒｉｇｈｔ）チャネル、ユーザの±９０°位置に出力位置が配置されたＬＳ／ＲＳ（Ｌｅｆｔ  Ｓｉｄｅ／Ｒｉｇｈｔ  Ｓｉｄｅ）チャネル、及びユーザの±１５０°位置に出力位置が配置されたＬＢ／ＲＢ（Ｌｅｆｔ  Ｂａｃｋ／Ｒｉｇｈｔ  Ｂａｃｋ）チャネルを含んでもよい。
【００２１】
また、高い高さを有する３個のチャネルは、前記Ｌ／Ｒチャネルの上側３０°〜４５°位置に出力位置が配置されたＬＨ／ＲＨ（Ｌｅｆｔ  Ｈｅｉｇｈｔ／Ｒｉｇｈｔ  Ｈｅｉｇｈｔ）チャネルと、ユーザの上側に出力位置が配置されたＴＣ（Ｔｏｐ  Ｃｅｎｔｅｒ）チャネルを含んでもよい。
【００２２】
そして、マルチチャネルオーディオ変換システムは、入力マルチャネルオーディオ信号が１０．２チャネルオーディオ信号である場合、７．１チャネルオーディオ信号、５．１チャネルオーディオ信号、２．０チャネルオーディオ信号のように１０．２チャネルよりも少ない数のオーディオ出力装置を用いるマルチャネルオーディオ信号を出力マルチャネルオーディオ信号として用いてもよい。
【００２３】
信号割当部１２０は、出力マルチャネルオーディオ信号と入力マルチャネルオーディオ信号のうち、チャネル別の出力位置が同じチャネルである入力チャネルと出力チャネルがある場合、前記入力チャネルのチャネル信号を前記出力チャネルに割り当てる。
【００２４】
一例として、２２：２チャネルのＳｉＬチャネルと１０．２チャネルのＬＳチャネルの出力位置が同一である場合、信号割当部１２０は、ＳｉＬチャネルのチャネル信号をＬＳチャネルに割り当てることによって、ＬＳチャネルに対応するオーディオ出力装置でＳｉＬチャネルのチャネル信号を再生するようにする。
【００２５】
信号分配部１３０は、入力マルチャネルオーディオ信号のチャネルに最も近接する出力マルチャネルオーディオ信号のチャネル２つに前記入力マルチャネルオーディオ信号のチャネル信号を
0005863796.tif 000002
ずつ分割して分配する。
【００２６】
一例として、２２：２チャネルの中央の高い箇所に位置する出力装置に出力されるＴｐＦｃ（Ｔｏｐ  ｆｏｒｗｏｒｄ  ｃｅｎｔｅｒ）チャネルの場合、信号分配部１３０は、同じ高さにあるＬＨチャネルとＲＨチャネルにそれぞれ
0005863796.tif 000003
ＴｐＦｃチャネル信号を分配してもよい。
【００２７】
チャネル信号算出部１４０は、出力マルチャネルオーディオ信号の各チャネルに割り当てられたチャネル信号、または、分配されたチャネル信号に基づいて出力マルチャネルオーディオ信号のチャネル別の信号を算出する。
【００２８】
一例として、チャネル信号算出部１４０は、２２．２チャネルオーディオ信号を１０．２チャネルオーディオ信号に変換する場合、上位レイヤ、中位レイヤ、下位レイヤ、及びサブウーファーチャネル別にそれぞれ特定の定数を乗算して出力マルチャネルオーディオ信号の全体サウンドレベルを調整する。
【００２９】
２２．２チャネルオーディオ信号を１０．２チャネルオーディオ信号に変換する場合、チャネル信号算出部１４０が各チャネル別の信号を算出する過程については以下の図４ないし図８を用いて詳細に説明する。
【００３０】
他の一例として、チャネル信号算出部１４０は、１０．２チャネルオーディオ信号を１０．２チャネルよりも少ないチャネルオーディオ信号に変換する場合、平面上に位置するチャネルと高さを有するチャネル及びサブウーファーチャネル別にそれぞれ特定の定数を乗算して出力マルチャネルオーディオ信号の全体サウンドレベルを調整してもよい。
【００３１】
１０．２チャネルオーディオ信号を１０．２チャネルよりも少ないチャネルを用いる出力マルチオーディオ信号に変換する場合、チャネル信号算出部１４０が各チャネル別の信号を算出する過程については、以下の図９ないし図１２を用いて詳細に説明する。
【００３２】
本発明の一実施形態に係るマルチチャネルオーディオ変換システムが入力された２２．２チャネルオーディオ信号を１０．２チャネルオーディオ信号に変換する場合、チャネル信号算出部１４０は、表１を用いて１０．２チャネルの各チャネル別の信号を算出する。
【表１】
0005863796.tif 000004
【００３３】
一例として、チャネル信号算出部１４０は表１及び図４に示すように、２２．２チャネルオーディオ信号４１０のうち、ＦＬ（Ｆｏｒｗｏｒｄ  Ｌｅｆｔ）チャネル、ＦＬｃ（Ｆｏｒｗｏｒｄ  Ｌｅｆｔ  ｃｅｎｔｅｒ）チャネル、及びＢｔＦＬ（Ｂｏｔｔｏｍ  Ｆｏｒｗｏｒｄ  Ｌｅｆｔ）チャネルのチャネル信号に基づいて１０．２チャネル出力マルチャネルオーディオ信号４２０のＬチャネルのチャネル信号を算出する。ここで、ＦＬチャネルとＢｔＦＬチャネルはＬチャネルと出力位置が同一であり、ＦＬｃチャネルはＬチャネルとＣチャネルの間にあるチャネルである。
【００３４】
具体的にチャネル信号算出部１４０は、中位レイヤであるＦＬチャネルのチャネル信号とＦＬｃチャネルのチャネル信号に
0005863796.tif 000005
を乗算した値にそれぞれ中位レイヤと設定された定数ｍを乗算し、下位レイヤであるＢｔＦＬチャネルのチャネル信号に下位レイヤと設定された定数ｂを乗算した後、前記結果値を加えてＬチャネルの最終チャネル信号を算出する。
【００３５】
また、Ｒチャネルは出力位置がＬチャネルと左右対称であるため、チャネル信号算出部１４０は、Ｌチャネルに用いられたチャネルと出力位置が左右対称とされるチャネルであるＦＲ（Ｆｏｒｗｏｒｄ  Ｒｉｇｈｔ）チャネル、ＦＲｃ（Ｆｏｒｗｏｒｄ  Ｒｉｇｈｔ  ｃｅｎｔｅｒ）チャネル、及びＢｔＦＲ（Ｂｏｔｔｏｍ  Ｆｏｒｗｏｒｄ  Ｒｉｇｈｔ）チャネルのチャネル信号を用いてＲチャネルのチャネル信号を算出する。
【００３６】
他の一例として、チャネル信号算出部１４０は表１及び図５に示すように、２２．２チャネルオーディオ信号５１０のうち、ＦＣ（Ｆｏｒｗｏｒｄ  Ｃｅｎｔｅｒ）チャネル、ＦＬｃチャネル、ＦＲｃチャネル及びＢｔＦＣ（Ｂｏｔｔｏｍ  Ｆｏｒｗｏｒｄ  Ｃｅｎｔｅｒ）チャネルのチャネル信号に基づいて、１０．２チャネル出力マルチャネルオーディオ信号５２０のＣチャネルのチャネル信号を算出する。ここで、ＦＣチャネルとＢｔＦＣチャネルはＣチャネルと出力位置が同一であり、ＦＬｃチャネルはＬチャネルとＣチャネルの間にあるチャネルであり、ＦＲｃチャネルはＲチャネルとＣチャネルの間にあるチャネルである。
【００３７】
具体的にチャネル信号算出部１４０は、中位レイヤであるＦＣチャネルのチャネル信号、ＦＬｃチャネルのチャネル信号に
0005863796.tif 000006
を乗算した値、ＦＲｃチャネルのチャネル信号に
0005863796.tif 000007
を乗算した値にそれぞれ中位レイヤと設定された定数ｍを乗算し、下位レイヤであるＢｔＦＣチャネルに下位レイヤと設定された定数ｂを乗算した後、前記結果値を加えてＣチャネルの最終チャネル信号を算出する。
【００３８】
他の一例として、チャネル信号算出部１４０は表１及び図６に示すように、２２．２チャネルオーディオ信号６１０のうち、ＴｐＦＬ（ｔｏｐ  Ｆｏｒｗｏｒｄ  Ｌｅｆｔ）チャネルとＴｐＦＣ（ｔｏｐ  Ｆｏｒｗｏｒｄ  ｃｅｎｔｅｒ）チャネルのチャネル信号に基づいて、１０．２チャネル出力マルチャネルオーディオ信号６２０のＬＨチャネルのチャネル信号を算出する。ここで、ＴｐＦＬチャネルのチャネル信号はＬＨチャネルと出力位置が同じチャネルであり、ＴｐＦＣチャネルはＬＨチャネルとＲＨチャネルの間にあるチャネルである。具体的に、チャネル信号算出部１４０は、上位レイヤであるＴｐＦＬチャネルのチャネル信号とＴｐＦＣチャネルのチャネル信号に
0005863796.tif 000008
を乗算した値にそれぞれ上位レイヤと設定された定数ｔを乗算した後、前記結果値を加えてＬＨチャネルの最終チャネル信号を算出する。
【００３９】
また、ＲＨチャネルは出力位置がＬチャネルと左右対称であるため、チャネル信号算出部１４０は、ＬＨチャネルに用いられたチャネルと出力位置が左右対称とされるチャネルであるＴｐＦＲ（ｔｏｐ  Ｆｏｒｗｏｒｄ  Ｒｉｇｈｔ）チャネル、ＴｐＦＣチャネルのチャネル信号を用いてＲＨチャネルのチャネル信号を算出してもよい。
【００４０】
他の一例として、チャネル信号算出部１４０は表１及び図７に示すように、２２．２チャネルオーディオ信号７１０のうちＴｐＳｉＬチャネルと、ＳｉＬチャネルのチャネル信号に基づいて、１０．２チャネル出力マルチャネルオーディオ信号７２０のＬＳチャネルのチャネル信号を算出する。ここで、ＴｐＳｉＬチャネルとＳｉＬチャネルはＬＳチャネルと出力位置が同じチャネルである。
【００４１】
具体的に、チャネル信号算出部１４０は、中位レイヤであるＳｉＬチャネルのチャネル信号に中位レイヤと設定された定数ｍを乗算し、上位レイヤであるＴｐＳｉＬチャネルのチャネル信号に上位レイヤと設定された定数ｔを乗算した後、前記結果値を加えてＬＳチャネルの最終チャネル信号を算出する。
【００４２】
また、ＲＳチャネルは出力位置がＬＳチャネルと左右対称であるため、チャネル信号算出部１４０は、ＬＳチャネルに用いられたチャネルと出力位置が左右対称されるチャネルであるＴｐＳｉＲチャネルと、ＳｉＲチャネルのチャネル信号を用いてＲＳチャネルのチャネル信号を算出してもよい。
【００４３】
他の一例として、チャネル信号算出部１４０は表１及び図８に示すように、２２．２チャネルオーディオ信号８１０のうちＴｐＢＬ（ＴｏｐＢａｃｋｗｏｒｄＬｅｆｔ）チャネル、ＴｐＢＣ（ＴｏｐＢａｃｋｗｏｒｄＣｅｎｔｅｒ）チャネル、ＢＣ（ＢａｃｋｗｏｒｄＣｅｎｔｅｒ）チャネル、及びＢＬ（ＢａｃｋｗｏｒｄＬｅｆｔ）チャネルのチャネル信号に基づいて、１０．２チャネル出力マルチャネルオーディオ信号８２０のＬＢチャネルのチャネル信号を算出する。ここで、ＴｐＢＬチャネル及びＢＬチャネルはＬＢチャネルと出力位置が同じチャネルであり、ＴｐＢＣチャネル及びＢＣチャネルはＬＢチャネルとＲＢチャネルの間にあるチャネルである。
【００４４】
具体的に、チャネル信号算出部１４０は、中位レイヤであるＢＬチャネルのチャネル信号とＢＣチャネルのチャネル信号に
0005863796.tif 000009
を乗算した値にそれぞれ中位レイヤと設定された定数ｍを乗算し、上位レイヤであるＴｐＢＬチャネルのチャネル信号とＴｐＢＣチャネルのチャネル信号に
0005863796.tif 000010
を乗算した値にそれぞれ上位レイヤと設定された定数ｔを乗算した後、前記結果値を加えてＬＢチャネルの最終チャネル信号を算出する。
【００４５】
また、ＲＢチャネルは出力位置がＬチャネルと左右対称であるため、チャネル信号算出部１４０は、ＬＢチャネルに用いられたチャネルと出力位置が左右対称されるチャネルのうちＴｐＢＲ（ＴｏｐＢａｃｋｗｏｒｄＲｉｇｈｔ）チャネル、ＴｐＢＣ（ＴｏｐＢａｃｋｗｏｒｄＣｅｎｔｅｒ）チャネル、ＢＣ（ＢａｃｋｗｏｒｄＣｅｎｔｅｒ）チャネル、及びＢＲ（ＢａｃｋｗｏｒｄＲｉｇｈｔ）チャネルのチャネル信号を用いてＲＢチャネルのチャネル信号を算出してもよい。
【００４６】
本発明の一実施形態に係るマルチチャネルオーディオ変換システムが入力された１０．２チャネルオーディオ信号を７．１チャネルオーディオ信号に変換する場合、チャネル信号算出部１４０は、表２を用いて７．１チャネルの各チャネル別の信号を算出する。
【表２】
0005863796.tif 000011
【００４７】
一例として、チャネル信号算出部１４０は表１及び図９に示すように、１０．２チャネルオーディオ信号９１０のうち、ＬチャネルとＬＨチャネルのチャネル信号に基づいて７．１チャネルオーディオ信号９２０のＬチャネルのチャネル信号を算出する。ここで、１０．２チャネルオーディオ信号９１０のＬチャネルとＬＨチャネルは７．１チャネルオーディオ信号９２０のＬチャネルと出力位置が同じチャネルである。また、チャネル信号算出部１４０は、平面上に位置するチャネルには定数ａを設定し、高さを有するチャネルには定数ｃを設定してもよい。
【００４８】
具体的に、チャネル信号算出部１４０は、ユーザと同じ平面上に位置するチャネルの１０．２チャネルオーディオ信号９１０のＬチャネルに予め設定された定数ａを乗算し、高さを有するチャネルであるＬＨチャネルに予め設定された定数ｃを乗算した後、前記結果値を加えて７．１チャネルオーディオ信号９２０のＬチャネルの最終チャネル信号を算出する。
【００４９】
また、Ｒチャネルは出力位置がＬチャネルと左右対称であるため、チャネル信号算出部１４０は、Ｌチャネルに用いられたチャネルと出力位置が左右対称されるチャネルである１０．２チャネルオーディオ信号９１０のＲチャネルとＲＨチャネルのチャネル信号を用いて７．１チャネルオーディオ信号４２０のＲチャネルのチャネル信号を算出してもよい。
【００５０】
他の一例として、チャネル信号算出部１４０は表１及び図１０に示すように、１０．２チャネルオーディオ信号１０１０のうちＬＢチャネルとＴＣチャネルのチャネル信号に基づいて、７．１チャネルオーディオ信号１０２０のＬＢチャネルのチャネル信号を算出する。ここで、１０．２チャネルオーディオ信号９２０のＬＢチャネルは、７．１チャネルオーディオ信号１０２０のＬＢチャネルと出力位置が同一であり、ＴＣチャネルは７．１チャネルオーディオ信号１０２０のＬＢチャネルとＲＢチャネルの間にあるチャネルである。
【００５１】
具体的に、チャネル信号算出部１４０は、ユーザと同じ平面上に位置するチャネルである１０．２チャネルオーディオ信号９１０のＬＢチャネルに予め設定された定数ａを乗算し、高さを有するチャネルでありＬＢチャネルとＲＢチャネルの間にあるチャネルであるＴＣチャネルのチャネル信号に
0005863796.tif 000012
を乗算した値に予め設定された定数ｃを乗算した後、前記結果値を加えて７．１チャネルオーディオ信号４２０のＬＢチャネルの最終チャネル信号を算出する。
【００５２】
また、ＲＢチャネルは出力位置がＬＢチャネルと左右対称であるため、チャネル信号算出部１４０は、ＬＢチャネルに用いられたチャネルと出力位置が左右対称されるチャネルである１０．２チャネルオーディオ信号９１０のＲＢチャネルとＴＣチャネルのチャネル信号を用いて７．１チャネルオーディオ信号４２０のＲＢチャネルのチャネル信号を算出してもよい。
【００５３】
本発明の一実施形態に係るマルチチャネルオーディオ変換システムが入力された１０．２チャネルオーディオ信号を５．１チャネルオーディオ信号に変換する場合、チャネル信号算出部１４０は表３を用いて５．１チャネルの各チャネル別の信号を算出する。
【表３】
0005863796.tif 000013
【００５４】
一例として、チャネル信号算出部１４０は表１及び図１１に示すように、１０．２チャネルオーディオ信号１１１０のうちＬＳチャネルとＬＢチャネル及びＴＣチャネルのチャネル信号に基づいて７．１チャネルオーディオ信号１１２０のＬＳチャネルのチャネル信号を算出する。ここで、１０．２チャネルオーディオ信号１１１０のＴＣチャネルは、７．１チャネルオーディオ信号９２０のＬＳチャネルとＲＳチャネル間に位置するチャネルである。
【００５５】
具体的に、チャネル信号算出部１４０はユーザと同じ平面上に位置するチャネルの１０．２チャネルオーディオ信号９１０のＬＳチャネルとＬＢチャネルに予め設定された定数ａを乗算し、高さを有するチャネルでありＬＳチャネルとＲＳチャネルの間にあるチャネルであるＴＣチャネルのチャネル信号に
0005863796.tif 000014
を乗算した値に予め設定された定数ｃを乗算した後、前記結果値を加えて７．１チャネルオーディオ信号４２０のＬＳチャネルの最終チャネル信号を算出する。ここで、１０．２チャネルのＬＳチャネルは５．１チャネルのＬチャネルとＬＳチャネルの中間に位置しているが、１０．２チャネルのＬＳチャネルは後面と判断されるサイドチャネルであるため、チャネル信号算出部１４０は１０．２チャネルのＬＳチャネルをＬチャネルに分配せず、５．１チャネルの後面に位置するＬＳチャネルにのみ印加してもよい。
【００５６】
また、ＲＳチャネルは出力位置がＬＳチャネルと左右対称であるため、チャネル信号算出部１４０は、ＬＢチャネルに用いられたチャネルと出力位置が左右対称されるチャネルである１０．２チャネルオーディオ信号１１１０のＲＳチャネルとＲＢチャネル及びＴＣチャネルのチャネル信号を用いて７．１チャネルオーディオ信号４２０のＲＳチャネルのチャネル信号を算出してもよい。
【００５７】
本発明の一実施形態に係るマルチチャネルオーディオ変換システムが入力された１０．２チャネルオーディオ信号を２．０チャネルオーディオ信号に変換する場合、チャネル信号算出部１４０は、表４を用いて２．０チャネルの各チャネル別の信号を算出する。
【表４】
0005863796.tif 000015
【００５８】
一例として、チャネル信号算出部１４０は表１及び図１２に示すように、１０．２チャネルオーディオ信号１１１０のうち、Ｌチャネル、Ｃチャネル、ＬＨチャネル、ＬＳチャネル、ＬＢチャネル及びＴＣチャネルのチャネル信号に基づいて７．１チャネルオーディオ信号１１２０のＬチャネルのチャネル信号を算出する。ここで、チャネル信号算出部１４０は、前方チャネルのサウンドが前方にマッピングされる出力の大きさに比べて、後方チャネルのサウンドが前方にマッピングされる出力の大きさが小さくなるようにチャネル信号を算出する。
【００５９】
図１３は、本発明の一実施形態に係るマルチチャネルオーディオ変換方法を示すフローチャートである。
【００６０】
ステップＳ１３１０において、出力位置確認部１１０は、出力マルチャネルオーディオ信号と入力マルチャネルオーディオ信号のチャネル別の出力位置を確認する。
【００６１】
ステップＳ１３２０において、出力位置確認部１１０は、出力マルチャネルオーディオ信号と入力マルチャネルオーディオ信号のうち、チャネル別の出力位置が同じチャネルがあるか否かを確認する。ここで、チャネル別の出力位置が同一の入力マルチオーディオ信号のチャネルを入力チャネルといい、チャネル別の出力位置が同じ出力マルチオーディオ信号のチャネルを出力チャネルといえる。もし、出力マルチャネルオーディオ信号と入力マルチャネルオーディオ信号のうちチャネル別の出力位置が同じチャネルがない場合、ステップＳ１３３０において、信号割当部１２０は、同じ位置のチャネルに入力チャネルのチャネル信号を割り当ててもよい。すなわち、信号割当部１２０は、出力マルチャネルオーディオ信号と入力マルチャネルオーディオ信号のうち入力チャネルと出力チャネルがある場合、ステップＳ１３３０において、入力チャネルのチャネル信号を出力チャネルに割り当てる。反対に、出力マルチャネルオーディオ信号と入力マルチャネルオーディオ信号のうちチャネル別の出力位置が同じチャネルがない場合、ステップＳ１３４０において、信号分配部１３０は、当該入力マルチャネルオーディオ信号のチャネルに最も近接する出力マルチャネルオーディオ信号のチャネルの２つを確認する。
【００６２】
ステップＳ１３５０において、信号分配部１３０は、ステップＳ１３４０で確認された隣接チャネルに当該入力マルチャネルオーディオ信号のチャネル信号を分配する。
【００６３】
ステップＳ１３６０において、チャネル信号算出部１４０は、ステップＳ１３３０で割り当てられたチャネル信号、または、ステップＳ１３５０で分配されたチャネル信号に基づいて出力オーディオ信号のチャネル別の出力を算出する。
【００６４】
具体的に、チャネル信号算出部１４０は、表１乃至表４を用いて出力オーディオ信号のチャネル別の出力を算出する。
【００６５】
本発明は、２２．２チャネルより少ないスピーカを用いて２２．２チャネルと類似の音場を提供することのできる１０．２チャネルオーディオ信号を他のマルチチャネルオーディオ信号に変換させることによって、１０．２チャネルオーディオ信号の互換性を増加させることができる。
【００６６】
以上のように本発明を限定された実施形態と図面によって説明したが、本発明は、上記の実施形態に限定されることなく、本発明が属する分野における通常の知識を有する者であれば、このような記載から多様な修正及び変形が可能である。
【００６７】
したがって、本発明の範囲は、説明された実施形態に限定されて定められるものではなく、特許請求の範囲及び特許請求の範囲と均等なものなどによって定められるものである。
【符号の説明】
【００６８】
１１０：チャネル位置確認部
１２０：信号割当部
１３０：信号分配部
１４０：チャネル信号算出部
【図１】
0005863796.tif 000026
【図２】
0005863796.tif 000027
【図３】
0005863796.tif 000028
【図４】
0005863796.tif 000029
【図５】
0005863796.tif 000030
【図６】
0005863796.tif 000031
【図７】
0005863796.tif 000032
【図８】
0005863796.tif 000033
【図９】
0005863796.tif 000034
【図１０】
0005863796.tif 000035
【図１１】
0005863796.tif 000036
【図１２】
0005863796.tif 000037
【図１３】
0005863796.tif 000038